(57)【要約】【課題】撮影条件をより分かりやすくユーザに知らせる。【解決手段】ＯＳＤ回路１４８ａが、最高感度に対する現在設定されているＩＳＯ感度の相対量を示すための感度ゲージ３０１、および設定可能な最高のシャッタスピードに対する現在設定されているシャッタスピードの相対量を示すためのシャッタスピードゲージ３０３の映像信号を生成し、画像表示ＬＣＤ１０２に出力する。手ぶれ限界のシャッタスピードなどの閾値で確定される領域ごとにスピードレベル３０３−３の色を区分けして表示するとさらに分かりやすい。【選択図】  図５
2007274598.tif 000002
【特許請求の範囲】
【請求項１】
フォーカスレンズ及びズームレンズを含む撮影レンズによって結像した被写体像を撮像素子で光電変換して映像信号を得る撮像装置であって、
前記映像信号に関する可変の撮影条件を設定する撮影条件設定部と、
前記撮影条件設定部の設定した撮影条件を対応する基準値に比した相対量で表示する表示部と、
を備える撮像装置。
【請求項２】
前記撮影条件は前記映像信号の撮影感度を含む請求項１に記載の撮像装置。
【請求項３】
前記表示部は設定可能な最大の撮影感度に対する現在の撮影感度の大小関係に応じて前記撮影感度の表示形態を変化させて表示する請求項２に記載の撮像装置。
【請求項４】
前記表示形態は前記最大の撮影感度に対する前記現在の撮影感度の倍率の表示または前記最大の撮影感度に対する前記現在の撮影感度の超過部分の表示色の変更を含む請求項３に記載の撮像装置。
【請求項５】
前記撮影条件はシャッタスピードを含む請求項１〜４のいずれかに記載の撮像装置。
【請求項６】
前記表示部は前記ズームレンズの焦点距離に応じて定まる手ぶれ限界のシャッタスピードに対する現在のシャッタスピードの大小関係に応じて前記シャッタスピードの表示形態を変化させて表示する請求項５に記載の撮像装置。
【請求項７】
前記表示形態は前記手ぶれ限界のシャッタスピードに対する前記現在のシャッタスピードの超過部分または不足部分の表示色の変更を含む請求項６に記載の撮像装置。
【請求項８】
前記撮影条件設定部は前記表示部による前記相対量の表示を行うか否かを設定し、
前記表示部は前記撮影条件設定部が前記相対量の表示を行うことを設定した場合に前記相対量を表示する請求項１〜７のいずれかに記載の撮像装置。
【請求項９】
フォーカスレンズ及びズームレンズを含む撮影レンズによって結像した被写体像を撮像素子で光電変換して映像信号を得る撮像装置における撮影条件表示方法であって、
前記映像信号に関する可変の撮影条件を設定するステップと、
設定した撮影条件を対応する基準値に比した相対量で表示するステップと、
を含む撮影条件表示方法。
【発明の詳細な説明】
【技術分野】
【０００１】
本発明は撮影感度やシャッタスピードなど各種撮影条件の表示機能に関する。
【背景技術】
【０００２】
従来、各種撮影条件をユーザに分かりやすく知らせるための技術が様々開発されている。例えば特許文献１によると、状態表示装置は、選択可能な８種類の露出モードを表示し、これらはモード設定スイッチを操作することによって選択される。各露出モードでは、シャッタスピード、絞りおよび感度に対応したパラメータであるＴｖ値、Ａｖ値およびＳｖ値が、マニュアルにより、あるいは自動的に設定される。表示装置の画面において、上段には「Ｔｖ」と「Ａｖ」と「Ｓｖ」の文字が表示されており、これはシャッタスピードと絞りと感度がそれぞれマニュアルによって設定されることを示している。画面の下段において、Ｔｖの下側にはシャッタスピードの値が表示され、Ａｖの下側には絞りの値が表示され、Ｓｖの下側には感度の値が表示される。
【特許文献１】特開２００４−１０４６７３号公報
【発明の開示】
【発明が解決しようとする課題】
【０００３】
近年では、コンパクト系のデジタルカメラでも高感度撮影が本格的に実用化されている。その一方、デジタルカメラを初めて扱うユーザが増加しており、特許文献１のように、撮影感度、シャッタスピード、絞りなどの撮影条件の数値をそのまま表示する方法では分かりにくい。
【０００４】
本発明はこのような問題点に鑑みてなされたもので、撮影条件をより分かりやすくユーザに知らせることを目的とする。
【課題を解決するための手段】
【０００５】
本発明は、フォーカスレンズ及びズームレンズを含む撮影レンズによって結像した被写体像を撮像素子で光電変換して映像信号を得る撮像装置であって、映像信号に関する可変の撮影条件を設定する撮影条件設定部と、撮影条件設定部の設定した撮影条件を対応する基準値に比した相対量で表示する表示部と、を備える。
【０００６】
この発明によると、可変の撮影条件が、基準値に比した相対量、例えば棒グラフや倍率で表示される。こうすれば、現在の撮影条件が基準値に比してどれぐらいの値になっているか一目瞭然であり、撮影条件の設定が適切か否かが初心者でも容易に理解できる。
【０００７】
ここで、撮影条件は映像信号の撮影感度を含む。
【０００８】
この場合、表示部は設定可能な最大の撮影感度に対する現在の撮影感度の大小関係に応じて撮影感度の表示形態を変化させて表示するとよい。
【０００９】
ここで、表示形態は最大の撮影感度に対する現在の撮影感度の倍率の表示または最大の撮影感度に対する現在の撮影感度の超過部分の表示色の変更を含む。
【００１０】
こうすると、ユーザは倍率の表示を参照し、基準値に対して現在の撮影感度が何倍であるかを容易に知ることができる。あるいは、ユーザは超過部分の表示色を参照し、基準値に対して現在の撮影感度がどれだけ超過しているのかを容易に知ることができる。
【００１１】
また、撮影条件はシャッタスピードを含む。
【００１２】
この場合、表示部はズームレンズの焦点距離に応じて定まる手ぶれ限界のシャッタスピードに対する現在のシャッタスピードの大小関係に応じてシャッタスピードの表示形態を変化させて表示するとよい。
【００１３】
表示形態は手ぶれ限界のシャッタスピードに対する現在のシャッタスピードの超過部分または不足部分の表示色の変更を含む。
【００１４】
こうすると、ユーザは表示色の異なる部分を参照し、現在のシャッタスピードが手ぶれ限界のシャッタスピードからどれだけ超過しているのかあるいはどれだけ不足しているのかを容易に知ることができる。
【００１５】
撮影条件設定部は表示部による相対量の表示を行うか否かを設定し、表示部は撮影条件設定部が相対量の表示を行うことを設定した場合に相対量を表示するとよい。
【００１６】
すなわち、撮影条件の相対量の表示が邪魔な場合は、ユーザの設定に応じて消すことも可能である。
【００１７】
本発明は、フォーカスレンズ及びズームレンズを含む撮影レンズによって結像した被写体像を撮像素子で光電変換して映像信号を得る撮像装置における撮影条件表示方法であって、映像信号に関する可変の撮影条件を設定するステップと、設定した撮影条件を対応する基準値に比した相対量で表示するステップと、を含む。
【発明の効果】
【００１８】
この発明によると、可変の撮影条件が、基準値に比した相対量、例えば棒グラフで表示される。こうすれば、現在の撮影条件が基準値に比してどれぐらいの値になっているか一目瞭然であり、撮影条件の設定が適切か否かが初心者でも容易に理解できる。
【発明を実施するための最良の形態】
【００１９】
以下、添付した図面を参照し本発明の好ましい実施の形態を説明する。
【００２０】
図１は、本発明の好ましい実施形態に係るデジタルカメラ（以下カメラと略す）１００の正面図である。
【００２１】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２２】
レンズ鏡胴６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００２３】
またカメラ１００には、非撮影時には撮影レンズ１０１の前面を覆って撮影レンズ１０１と外界とを遮ることで撮影レンズ１０１を保護する状態をつくり出すとともに、撮像時には撮影レンズを外界に露出するレンズカバー６１が設けられている。
【００２４】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００２５】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００２６】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００２７】
カメラ１００の背面には、画像表示ＬＣＤ１０２、切替レバー１２２、十字キー１２４、情報位置指定キー１２６等も設けられている。十字キー１２４は、上下左右がそれぞれ表示明るさ調整／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００２８】
切替レバー１２２は画像の撮影と再生との切り替えを自在に行うスイッチであって、撮影を行なうときには切替レバー１２２が「撮影」側に切り替えられ、再生を行なうときには切替レバー１２２が「再生」側に切り替えられる。
【００２９】
図３は、モードダイヤル１２３を上面から見た図である。モードダイヤル１２３は、回動可能なダイヤル式のスイッチで構成されている。モードダイヤル１２３には、撮影シーンを直感的に認識可能なマークであるアイコンが印刷されている。モードダイヤル１２３は、図中矢印方向に回転可能であり、撮影者は、撮影しようとする撮影シーンに近いアイコンが位置合わせマーク９７の位置にくるようにモードダイヤル１２３を回転させることにより、撮影モードを選択することができる。ただし、ＯＳＤ信号発生回路（以下ＯＳＤ回路で表す）１４８ａにより生成された撮影モード設定メニューから任意の撮影モードを選択させてもよい。
【００３０】
撮影モードの種類には、例えば、静止画を撮影する静止画の撮影モードと、動画を撮影する動画の撮影モードとがあり、更に静止画の撮影モードには、シャッタスピード、絞り値、ＩＳＯ感度等の撮影条件を自動で設定するオートモード、それらの撮影条件の設定をマニュアルで行うマニュアルモード、人物撮影、風景撮影、スポーツ撮影、夜景撮影、夕日撮影、料理撮影のように各撮影シーンに応じて適切な撮影条件に自動設定する各撮影モード（人物モード、風景モード、スポーツモード、夜景モード、サンセットモード、料理モード）などがある。
【００３１】
この図では、アイコン１２３−１は、シャッタスピードと絞り値を自由に設定できるマニュアルモードに対応する。アイコン１２３−２は、動画を撮影する動画モードに対応する。アイコン１２３−３は、夜景を撮影するのに適した夜景モードに対応する。アイコン１２３−４は、スポーツシーン等の動きの速い被写体を撮影するのに適したスポーツモードに対応する。アイコン１２３−５は、風景を撮影するのに適した風景モードに対応する。アイコン１２３−６は、人物を撮影するのに適した人物モードに対応する。アイコン１２３−７は、様々な撮影シーンに適応した撮影が可能なオートモードに対応する。アイコン１２３−８は、シャッタスピード／絞り以外の各種設定ができるプログラムオートモードに対応する。アイコン１２３−９は、絞り値を設定できる絞り優先オートモードに対応する。アイコン１２３−１０は、シャッタスピードを設定できるシャッタ優先オートモードに対応する。
【００３２】
夜景モードでは、周囲が夜景等の暗い場所でストロボ１０５ａを発光しない状態で撮影を行なう場合に使用される。夜景モードでは、ＣＣＤ１３２のシャッタ速度が例えば１／６０秒よりも長い露光状態となる（ロングシャッタモード）。詳細は省略するが、その他の撮影モードにおいても、各撮影シーンに適した撮影条件が設定される。
【００３３】
図４はカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、撮影と再生とを自在に切り替える切替レバー１２２、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００３４】
また、カメラ１００には、撮影画像や再生画像等を表示するための画像表示ＬＣＤ１０２と、操作の手助けを行なうための操作ＬＣＤ表示１０３が備えられている。
【００３５】
このカメラ１００にはレリーズスイッチ１０４が配備されている。このレリーズスイッチ１０４によって撮影の開始指示がメインＣＰＵ２０へと伝えられる。このカメラ１００では切替レバー１２２によって撮影と再生との切り替えが自在になっていて、撮影を行なうときにはユーザによって切替レバー１２２が撮影側に切り替えられ、再生を行なうときには切替レバー１２２が再生側に切り替えられる。また、カメラ１００には、閃光を発光するストロボ１０５ａを有する閃光発光装置が配備されている。
【００３６】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、切替レバー１２２が撮影側に切り替えられたことに応じ、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３７】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００３８】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００３９】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００４０】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００４１】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００４２】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４３】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００４４】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００４５】
なお、ズームレンズ１０１ａ、フォーカスレンズ１０１ｂ、絞り１３１の駆動源は、ズーム用モータ１１０、フォーカス用モータ１１１、絞り用モータ１１２のような各種モータに限定する必然性はなく、アクチュエータなどであってもよい。
【００４６】
測光・測距用ＣＰＵ１３７は、レリーズスイッチ１０４が半押し（Ｓ１オン）されると、ＣＣＤ１３２によって周期的（１／30秒から１／60秒ごと）に得られる画像データに基づいて被写体の明るさの測光（ＥＶ値の算出）を行う。
【００４７】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４８】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００４９】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００５０】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００５１】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ａを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００５２】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００５３】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１１が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００５４】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００５５】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光ランプ１０５ｂへの電流供給制御を行い、所望の発光量が所望のタイミングで得られるように制御する。
【００５６】
なお、セルフタイマランプ１０５ｃはＬＥＤで構成してもよく、ＡＦ補助光ランプ１０５ｂを構成するＬＥＤと共通にしてもよい。
【００５７】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００５８】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度８０，１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００５９】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００６０】
また、カメラ１００には、メインＣＰＵ２０と、ＥＥＰＲＯＭ１４６と、ＹＣ／ＲＧＢ変換部１４７と、表示用ドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００６１】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００６２】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００６３】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００６４】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池が寿命に達しない限り、ＲＴＣ１５等の基本機能には、電源供給が間断なく継続する。
【００６５】
ＲＴＣ（Real Time Clock）１５は計時専用のチップであり、電源電池６８やＡＣアダプタ４８からの給電がオフされていてもバックアップ電池から電源供給を受けて継続的に動作する。
【００６６】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００６７】
切替レバー１２２により「再生」側が選択されると、メモリカード２００に記録されている最終の画像ファイル（最後に記録されたファイル）の圧縮データが読み出される。最後の記録に係るファイルが静止画ファイルの場合、この読み出された画像圧縮データは、圧縮・伸長＆ＩＤ抽出部１４３を介して非圧縮のＹＣ信号に伸長され、バッファメモリ１３５に保存される。バッファメモリ１３５に保存されたＹＣ信号は、ＹＣ／ＲＧＢ変換部１４７に加えられる。ＹＣ／ＲＧＢ変換部１４７は、入力するＹＣ信号からＮＴＳＣ方式のカラー複合映像信号を作成し、これを表示用ドライバ１４８を経由して画像表示ＬＣＤ１０２に出力する。これにより、液晶パネル７１にはメモリカード２００に記録されている最終コマのコマ画像が表示される。
【００６８】
その後、十字キー１２４の右キー（順コマ送りスイッチ）が押されると、順方向にコマ送りされ、左キー（逆コマ送りスイッチ）が押されると、逆方向にコマ送りされる。そして、コマ送りされたコマ位置の画像ファイルがメモリカード２００から読み出され、上記と同様にしてコマ画像が液晶パネル７１で再生される。尚、最終コマのコマ画像が表示されている状態で順方向にコマ送りされると、メモリカード２００に記録されている１コマ目の画像ファイルが読み出され、１コマ目のコマ画像が液晶パネル７１で再生される。
【００６９】
図５は本実施形態に係る撮影条件に含まれるＩＳＯ感度およびシャッタスピードの表示の一例である。この図は、ＯＳＤ回路１４８ａが、最高感度に対する現在設定されているＩＳＯ感度の相対量を示すための感度ゲージ３０１、および設定可能な最高のシャッタスピードに対する現在設定されているシャッタスピードの相対量を示すためのシャッタスピードゲージ３０３の映像信号を生成し、画像表示ＬＣＤ１０２に出力した様子を示す。なお従来と同様、ＯＳＤ回路１４８ａは、絞り値（Ｆ値）３０２−１、現在のシャッタスピードの値３０２−２、手ぶれの発生を警告する手ぶれアイコン３０２−３などの映像３０２を生成してもよい。
【００７０】
図６は感度ゲージ３０１の詳細を示す。感度ゲージ３０１には、カメラ１００で設定可能な最高のＩＳＯ感度である最高感度に比した現在のＩＳＯ感度の相対量を示す感度レベル３０１−１が表示される。例えば、図６（ａ）〜（ｆ）は、現在のＩＳＯ感度がそれぞれ「８０」、「１００」、「２００」、「４００」、「８００」、「１６００」のときの最高感度「１６００」に比した相対量を棒グラフで示している。なお従来と同様、現在のＩＳＯ感度の数値３０１−２を、感度ゲージ３０１と合わせてあるいは単独で表示してもよい。
【００７１】
図７は現在のＩＳＯ感度が最高感度を超えた場合の感度ゲージ３０１および感度レベル３０１−１の表示の状態を示す。例えば図７（ａ）のように、現在のＩＳＯ感度が最高感度１６００の２倍の値「３２００」だとすると、感度ゲージ３０１の横に、現在のＩＳＯ感度が最高感度の２倍であることを示す倍率３０１−３を表示する。こうすると、最高感度を超えるＩＳＯ感度が設定されていることが容易に分かる。あるいは図７（ｂ）のように、感度ゲージ３０１の感度レベル３０１−１が感度ゲージ３０１の最高感度を超えるように表示してもよい。感度レベル３０１−１が最高感度を超えた部分に関しては、色や模様などの表示パターンが超えない部分と異なるようにすると、最高感度を超えていることがさらに分かりやすくなる。
【００７２】
図８はシャッタスピードゲージ３０３の詳細を示す。シャッタスピードゲージ３０３は、カメラ１００で設定可能な最高のシャッタスピードである最高速度Highおよび設定可能な最低のシャッタスピードである最低速度Lowを基準とし、これに比した現在設定されているシャッタスピードの相対量であるスピードレベル３０３−３を表示する。
【００７３】
図８に示すように、現在のシャッタスピードの値に応じてスピードレベル３０３−３の表示パターンを変化させてもよい。ここではまず、スピードレベルの表示パターンを変化させる閾値として、一般的には手ぶれ限界のシャッタスピードと言われる第１段階の警告閾値（ここでは６０）３０３−１と、第２段階の警告閾値３０３−２（ここでは５０）を設ける。
【００７４】
そして、現在のシャッタスピードの相対量を示す棒グラフであるスピードレベル３０３−３のうち、最高速度High〜第１段階の警告閾値３０３−１の間の「安全領域」内にある部分は「緑色」、第１段階の警告閾値３０３−１〜第２段階の警告閾値３０３−２の「手ぶれ注意領域」内にある部分は「黄色」、第２段階の警告閾値３０３−２〜最低速度Lowの「手ぶれ警告領域」内にある部分は「赤色」などと、閾値で確定される領域ごとにスピードレベル３０３−３の色を区分けして表示する。スピードレベル３０３−３が緑、黄、赤と変化するごとに、手ぶれ発生の注意を促す必要性の度合が増すから、ユーザはこの色を見て、また手ぶれアイコン３０２−３も見て、手ぶれの発生するような設定が現在なされていることを容易に理解できる。
【００７５】
図９はＡＥ処理やＩＳＯ感度のマニュアル設定によりＩＳＯ感度が増加していった場合の感度レベル３０１−１およびスピードレベル３０３−３の変化の様子を概念的に示している。
【００７６】
図１０、図１１はそれぞれＯＳＤ回路１４８ａの生成した映像信号とスルー画像との合成映像を示す。図１０では現在のシャッタスピードの値が第２段階の警告閾値３０３−２〜最低速度Low３０３−１の間にあり、赤色でスピードレベル３０３−３が示されている。かつ、感度ゲージ３０１も表示されている。また、現在のシャッタスピードの値が第１段階の警告閾値３０３−１を下回っているため、手ぶれアイコン３０２−３も表示されている。
【００７７】
図１１では現在のシャッタスピードの値が最高速度High３０３−４〜第１段階の警告閾値３０３−３の間にあり、緑色でスピードレベル３０３−３が示されている部分が存在する。感度レベル３０１も表示されている。
【００７８】
なお図５〜１１では、ＩＳＯ感度やシャッタスピードの相対量の表示の方式の一例として棒グラフを用いているが、円グラフその他の方式であってもよい。
【００７９】
以下、図１２および図１３を参照し、カメラ１００の実行する処理の流れを説明する。
【００８０】
図１２はカメラ１００の実行する感度表示処理の流れを示す。この処理は、ユーザの「簡単表示モード」設定に応じてＩＳＯ感度の相対量の映像３０１−１を表示する処理である。
【００８１】
Ｓ１では、ＣＰＵ２０はモードダイヤル１２３によりオートモードが設定されているか否かを判断する。オートモードが設定されている場合はＳ２へ移行する。オートモードが設定されていなければ、この処理を終了する。
【００８２】
Ｓ２では、ＣＰＵ２０は、レリーズスイッチ１０４の半押しに応じてＡＥ動作を行う。すなわち、前述したように、求めた撮影ＥＶに基づいて絞り値とシャッタスピードを決定し、モータドライバ６２を介して絞り１３１を駆動するとともに、決定したシャッタスピードとなるように電子シャッタによってＣＣＤ１３２の電荷の蓄積時間を制御する。また、ＣＰＵ２０は、ＣＣＤ１３２から出力される画像信号に基づいて、焦点評価演算などの各種演算を行い、その演算に基づいて、撮影レンズ１０１及び絞り１３１を駆動するモータドライバ６２を制御してフォーカスレンズ１０１ｂを合焦位置に移動させるとともに、絞り１３１を適正絞り値に設定する。
【００８３】
Ｓ３では、予め操作部１２０の操作により「簡単表示モード」が設定されているか否かを判断する。「簡単表示モード」が設定されている場合はＳ４に移行する。「簡単表示モード」が設定されていない場合はこの処理を終了する。「簡単表示モード」は、ＯＳＤ回路１４８によるＩＳＯ感度の相対量の映像３０１−１を表示するか否かを規定する動作モードであり、予め所定の設定画面で操作部１２０の操作により任意に設定または解除できる。
【００８４】
Ｓ４では、ＯＳＤ回路１４８は、感度レベル３０１−１を含む感度ゲージ３０１の映像を生成する。液晶パネル７１にはこれらの映像がスルー画と合成されて表示される。
【００８５】
図１３はカメラ１００の実行するシャッタ速度表示処理の流れを示す。この処理は、ユーザの「簡単表示モード」設定に応じてＩＳＯ感度の相対量のシャッタスピードの相対量の映像３０３−３を表示する処理である。
【００８６】
Ｓ１１では、ＣＰＵ２０は、レリーズスイッチ１０４の半押しに応じてＡＥ動作を行う。
【００８７】
Ｓ１２では、ＣＰＵ２０は、ズームレンズ１０１ａの焦点距離を取得し、これに基づいて第１段階の警告閾値（手ぶれ限界のシャッタスピード）および第２段階の警告閾値を算出する。具体例を挙げると、ＣＰＵ２０は、第１段階の警告閾値を、１／焦点距離（焦点距離：mm)で算出する。また、例えば、ＣＰＵ２０は、第２段階の警告閾値を、１／焦点距離（焦点距離：mm)×０．８で算出する。
【００８８】
例えば、焦点距離１００ｍｍの場合、手ぶれ限界のシャッタスピードは１／１００秒となる。ズームの倍率が２倍になると、焦点距離も２倍となり、焦点距離１００ｍｍのカメラでは、２００ｍｍ相当になる。このとき、手ぶれ限界のシャッタスピードは、１／２００秒となり、手ぶれが発生しやすくなる。
【００８９】
Ｓ１３では、予め操作部１２０の操作により「簡単表示モード」が設定されているか否かを判断する。「簡単表示モード」が設定されている場合はＳ１４に移行する。「簡単表示モード」が設定されていない場合はこの処理を終了する。
【００９０】
Ｓ１４では、ＯＳＤ回路１４８は、第１段階の警告閾値３０３−１、第２段階の警告閾値３０３−２、スピードレベル３０３−３を含むシャッタスピードゲージ３０３の映像を生成する。液晶パネル７１にはこの映像がスルー画と合成されて表示される。
【００９１】
なお、感度ゲージ映像３０１とシャッタスピードゲージ３０３の双方を表示する場合は、図１２と図１３の処理の両方を行う。図１２と図１３の処理を実行するプログラムは、カメラ１００とは別個に提供されてもよい。
【００９２】
以上の処理により、レリーズスイッチ１０４が半押しされると、液晶パネル７１には、感度レベルの映像３０１−１（ただしオートモード設定時）あるいはスピードレベルの映像３０３−３が表示される。ユーザはこれらの映像を見ながら、現在のＩＳＯ感度やシャッタスピードの程度を最高の設定可能値と比較しながら視覚的に分かりやすく知ることができる。また、スピードレベル３０３−３の色の区分を見て、手ぶれの発生するようなシャッタスピードが設定されているかを視覚的に分かりやすく知ることができる。
【図面の簡単な説明】
【００９３】
【図１】デジタルカメラの正面図
【図２】デジタルカメラの背面図
【図３】モードダイヤルの上面図
【図４】デジタルカメラのブロック構成図
【図５】ＩＳＯ感度およびシャッタスピードの一例を示す図
【図６】感度ゲージの詳細を示す図
【図７】現在のＩＳＯ感度が最高感度を超えた場合の感度ゲージ３０１および感度レベルの表示の状態を示す図
【図８】シャッタスピードゲージの詳細を示す図
【図９】ＡＥ処理やＩＳＯ感度のマニュアル設定によりＩＳＯ感度が増加していった場合の感度レベルおよびスピードレベルの変化の様子を概念的に示した図
【図１０】ＯＳＤ回路の生成した感度ゲージ、シャッタスピードゲージおよび手ぶれアイコンの映像信号とスルー画像との合成映像を示す図
【図１１】ＯＳＤ回路の生成した感度ゲージおよびシャッタスピードゲージの映像信号とスルー画像との合成映像を示す図
【図１２】感度表示処理の流れを示すフローチャート
【図１３】シャッタ速度表示処理の流れを示すフローチャート
【符号の説明】
【００９４】
１４：発光制御ＣＰＵ、１７：ＬＥＤ群、１９：ＬＥＤドライバ、１６：通信用発光装置、２０：メインＣＰＵ、６０：レンズ鏡胴、６１：レンズカバー、６２：モータドライバ、１０１：撮影レンズ、１０１ａ：ズームレンズ、１０１ｂ：フォーカスレンズ、１１０：ズーム用モータ、１１１：フォーカス用モータ、１１２：絞り用モータ、１１４：レンズカバー用モータ、１２７：ズームスイッチ、１３１：絞り、１３２：ＣＣＤ、１３４：Ａ／Ｄ変換部、１５０：ＡＦ検出部、１５１：ＡＥ演算部
【図１】
2007274598.tif 000003
【図２】
2007274598.tif 000004
【図３】
2007274598.tif 000005
【図４】
2007274598.tif 000006
【図５】
2007274598.tif 000007
【図６】
2007274598.tif 000008
【図７】
2007274598.tif 000009
【図８】
2007274598.tif 000010
【図９】
2007274598.tif 000011
【図１０】
2007274598.tif 000012
【図１１】
2007274598.tif 000013
【図１２】
2007274598.tif 000014
【図１３】
2007274598.tif 000015